(57)【特許請求の範囲】
【請求項１】
アウトフォールディング映像表示装置の前面に固定される固定スクリーンディスプレイ部と、
前記アウトフォールディング映像表示装置の側面に沿ってフォールディングされるフォールディング軸部と、
前記アウトフォールディング映像表示装置の背面に固定され、または前記アウトフォールディング映像表示装置の背面からオープンされるフォルダブルで、且つ固定可能なディスプレイ部を有するフレキシブルディスプレイ部と、を有するアウトフォールディング映像表示装置の保護ケースであって、
前記保護ケースは、前記フォールディング軸部のみカバーし、
前記保護ケースは、前記アウトフォールディング映像表示装置に脱着され、
前記保護ケースは、前記フレキシブルディスプレイがフォールディングされて固定された状態のときに、前記フォールディング軸部に固定されて前記フォールディング軸部を保護し、前記フレキシブルディスプレイがオープンされた状態においては、前記フォールディング軸部から離れることを特徴とする、
アウトフォールディング映像表示装置の保護ケース。
【請求項２】
フレキシブルディスプレイがフォールディングされた状態で墜落した時のダメージを防止するためのバンパーが前記保護ケースの各角に備えられることを特徴とする、請求項1に記載の保護ケース。
【請求項３】
前記フレキシブルディスプレイをオープンした状態で、紛失防止のための紛失防止の連結紐をさらに備え、前記紛失防止の連結紐の一側端部は、前記アウトフォールディング映像表示装置に連結され、反対側の端部は、保護ケースに連結されることを特徴とする、請求項１に記載の保護ケース。
【請求項４】
前記保護ケースの両端の角を防ぐ形で軸方向閉鎖面が形成され、前記フォールディング軸部の方向に外さないようにすることを特徴とする、請求項１に記載の保護ケース。
【請求項５】
前記保護ケースは、前記アウトフォールディング映像表示装置のフォールディング軸部から分離されて解除された状態における体積を最小化するように、前記軸方向閉鎖面との間に形成された部分がフォールディング軸部の方向に沿って伸縮されることを特徴とする、請求項４に記載の保護ケース。
【発明の詳細な説明】
【技術分野】
【０００１】
本発明は、柔軟性のある表示装置が備えられたアウトフォールディング映像表示装置の衝撃による破損、擦り傷、封止損傷などを防止するために適用される保護ケースであって、より具体的には柔軟性のある表示装置の画面表示面が互いに背にしてフォールディングされる方式のアウトフォールディング映像表示装置において、保護ケースが適用されても柔軟性のある表示装置のフォールディング及びオープンが制限されずにオープン状態への切替時保護ケースが最小化された状態で保持されて使用者の片手のグリップの使用を容易にし、フォールディングされているアウトフォールディング映像表示装置のオープンのための指係止の形状が適用される特徴を有するアウトフォールディング映像表示装置の改善された保護ケースに関するものである。
【背景技術】
【０００２】
既存の板状のスマートフォンとタブレット装置のような形状不変映像表示装置の普遍化によって衝撃から液晶画面の破損を防止するためのバンパーケース（韓国登録特許：１０−１２２９０７９）、ダイアリー型のカバー内側の空間に映像表示装置を収納保管し、カード収納機能も可能なダイアリー型ケース（韓国登録特許：１０−１１９２２８７、韓国登録実用新案：２０−０４７３４５１）、バンパーケースにダイアリー型ケースの機能を組み合わせたバンパー一体型ケース（韓国登録実用新案：２０−０４６０２６０）のような付加製品が広く使用されており、関連の様々な特許が提示されている。  
【０００３】
バンパーケース型の製品は、スマートフォンまたはタブレットのような既存の形状不変映像表示装置製品の周りを不連続部分なしに包んで固定され、画面が表示される上部面は、周りから開放形成されてタッチ操作及び画面表示が可能であり、画面が表示される面の反対面は周りが延在して詰っていたり、または開放形成されている形態を有する。  
【０００４】
ダイアリー型ケースは、スマートフォンまたはタブレットのような既存の形状不変映像表示装置製品の画面表示面の反対面に密着固定され、または組み立てて固定される下部面固定板、下部面固定板から一端が延在され、または下部面固定板の終端部分に一側終端部分が接着連結される回動連結板、回動連結板の反対側終端部分に延在され、または接着連結されて画面表示面を選択的に覆う上部面カバーで構成され、上部面カバーの内側面にはカード収納のためのポケットが形成されている。  
【０００５】
バンパーケースとダイアリー型ケースが結合されたバンパー一体型ケースは、スマートフォンまたはタブレットのような既存の形状不変映像表示装置製品の周りを途切れることなく包んで固定され、画面が表示される上部面側は、周りから開放形成されており、画面が表示されない反対側面は形状不変映像表示装置の画面表示面の反対側面に固定されるバンパー下部板、バンパー下部板の一面に一側終端部分が接着固定される回動連結板２、回動連結板２の終端部分に連結されて画面表示面を選択的に覆う上部面カバー２で構成される。  
【０００６】
前記の既存のバンパーケース、ダイアリ型ケース、及びバンパー一体型ケースは、いずれも板状で形状不変映像表示装置に適用されるように提案されたものであって、柔軟性のある表示装置のフォールディング及びオープンが行われて周りの形状が変更されるアウトフォールディング映像表示装置には適用されることができない。  
【０００７】
このような問題点を解決するために柔軟性のある表示装置のフォールディング及びオープンが行われて周りの形状が変更されるアウトフォールディング映像表示装置に適用できる多様な保護ケースが本発明人によって特許として提示された。（韓国特許出願第１０ー２０１５ー０１０９２８０）
【発明の概要】
【発明が解決しようとする課題】
【０００８】
本発明が成し遂げようとする技術的課題は以下の通りである。  
第一、フォールディング軸を有するアウトフォールディング映像表示装置に適用される改善された保護ケースがアウトフォールディング映像表示装置のオープンへの切り替え時最小化に保持されることによって、オープンの状態における面倒さなく使用者の片手グリップ操作の容易性が向上されるようにする。  
【０００９】
第二、ヒンジの適用有無と関係なく、フォールディングとオープンが行われるフォールディング軸部位の不可避の寸法変化が発生する対称アウトフォールディング映像表示装置に固定のための専用の構成品の適用なしでも改善された保護ケースが自体に固定され、フォールディング軸を中心に柔軟性のある表示装置のフォールディング及びオープンが干渉を受けずに自由に遂行されるようにする。  
【００１０】
第三、対称アウトフォールディング映像表示装置に適用される改善された保護ケースが、柔軟性のある表示装置の擦り傷防止のようなカバー機能のみを遂行しなく、アウトフォールディング映像表示装置の落下時受ける周り部位の衝撃を吸収する制限的なバンパー機能も行うようにする。  
【００１１】
第四、自体のオープン機能が反映されていないアウトフォールディング映像表示装置に改善された保護ケースが適用されることによって、使用者のオープン操作がより容易になるようにする。
【００１２】
第五、アウトフォールディング映像表示装置の外観を最大限露出させて、自体のデザインを生かしながらも必須保護部位のみ最小化させて選択的に保護するとともに保護解除、またはオープン操作時使用者の片手グリップ操作の容易性が妨害されないように固定解除、及び最小化されて保持され、フォールディング状態のアウトフォールディング映像表示装置に適用された状態であってもフォールディングの状態で保持されている柔軟性のある表示装置の前背面のいずれの面においてもタッチ操作及び映像表示の露出ができるようにする。  
【課題を解決するための手段】
【００１３】
既技術的課題を達成するために、本発明の第１の実施例は形状不変映像表示装置に適用されるダイアリー型ケースの画面表示面の反対面に固定される下部面固定板に相応し、回動が不可能に固定されずフォールディングが発生するフォールディング軸を有するアウトフォールディング映像表示装置のフォールディング収納表示面を回動が可能な状態で選択的に覆う下部開きカバーを含めて構成されるアウトフォールディング映像表示装置のケースにおいて、アウトフォールディング映像表示装置のケースは、アウトフォールディング映像表示装置のオープンへの切り替え時単純回動されてアウトフォールディング映像表示装置の領域しか保持されず、多段フォールディングされたり、またはフォールディング軸に位置される終端部分を巻軸として巻かれてアウトフォールディング映像表示装置のフォールディング軸を向かい合う反対側の縁に最小化された状態で保持される下部開きカバーを含めて構成される。  
【００１４】
第１の実施例のアウトフォールディング映像表示装置のケースには、下部開きカバーのフォールディング軸の終端に位置する部分が延在され、又は別途の構成品として組み立てられアウトフォールディング映像表示装置のフォールディング時形成される柔軟性のある表示装置の曲面形状部分を選択的に覆う曲面カバーを含めて構成される。  
【００１５】
曲面カバーには、曲面カバーの自由端側の終端の縁または隅角による使用者の指傷の発生、及び柔軟性のある表示装置の損傷の発生を防止するために、自由端側の終端を横切って形成されている保護フレーム及びフォールディング状態のアウトフォールディング映像表示装置の落下時曲面カバーの上段及び下段の角部分が落下の衝撃によるアウトフォールディング映像表示装置の損傷の発生を防止できるように曲面カバーの上段及び下段の角にバンパー形状を含めて構成される。  
【００１６】
曲面カバーの自由端側に位置する任意の部分には、多段フォールディングまたは巻き状態で保管されている下部開きカバー及び曲面カバー部分を使用者が容易にオープンできるように引張手段を含めて構成される。  
【００１７】
第１の実施例のアウトフォールディング映像表示装置のケースにおいて、下部開きカバーは多段フォールディングが可能な下部開きカバーが一定の位置で屏風の形でフォールディングが行われるように間隔をおいて凹んで形成されているフォールディング誘発形状又は一定の位置で屏風の形でフォールディングが行われるように多段フォールディング幅を考慮した幅を有する多数の板材が間隔を保持して内側または外部に固定され、下部開きカバーの構成要素を成すフォールディング板を含めて構成される。
【００１８】
本発明の他の実施例である第２の実施例は、柔軟性のある表示装置のフォールディングが発生されるフォールディング軸を有するアウトフォールディング映像表示装置のフォールディング軸の反対側の縁の部分に適用され、巻きの対象のための巻軸及び収容空間を有する収納ハウジング及び形状不変映像表示装置に適用されるダイアリー型ケースの画面表示面の反対面に固定される下部面固定板に相応するが、一側終端が収納ハウジングの巻軸に連結され、反対側の終端は収納ハウジングを脱してオープンされ、フォールディング状態のアウトフォールディング映像表示装置のフォールディング収納表示面を覆い、または巻かれて収納ハウジングに収容される状態で保持可能な下部開きカバーを含めて構成される。  
【００１９】
第２の実施例において、アウトフォールディング映像表示装置のケースは、巻軸に連結された下部開きカバーの反対側の自由端終端部分に延在され、オープン状態時アウトフォールディング映像表示装置のフォールディング時形成される柔軟性のある表示装置の曲面形状部分を選択的に覆い、巻きの状態時下部開きカバーとともに順次に巻かれて収納ハウジングに自由端側終端部分を除いた残りの部分は、巻かれて収容される曲面カバーを含めて構成され、曲面カバーには、曲面カバーの自由端側の終端の縁または隅角による使用者の指傷防止、柔軟性のある表示装置の損傷防止及びオープン過程のための収納ハウジング引出口の外での終端係止形成のために自由端側の終端を横切って形成されている保護フレームを含めて構成される。  
【００２０】
第２の実施例に適用できる曲面カバーの他の例として、アウトフォールディング映像表示装置のケースは、巻軸に連結された下部開きカバーの反対側の自由端終端部分に延在され、又は別途の構成品として組み立てられオープン状態時アウトフォールディング映像表示装置のフォールディング時形成される柔軟性のある表示装置の曲面形状部分を選択的に覆い、巻き状態時下部開きカバーとは違って、収納ハウジングの外で巻かれていない状態で保持される曲面カバーを含めて構成されることもでき、曲面カバーには、曲面カバーの自由端側の終端の縁または隅角による使用者の指傷防止及び柔軟性のある表示装置の損傷防止のために、自由端側の終端を横切って形成されている保護フレーム及びフォールディング状態のアウトフォールディング映像表示装置の落下時曲面カバーの上段及び下段の角部分が落下衝撃によるアウトフォールディング映像表示装置の損傷発生を防止できるように曲面カバーの上段及び下段の角に形成されているバンパー形状を含めて構成される。
【００２１】
第２の実施例において、アウトフォールディング映像表示装置のケースは、収納ハウジングに巻かれて収容されている部分を使用者が容易にオープンできるように曲面カバーの自由端側に位置する任意の部分に引張手段を含めて構成される。
【００２２】
本発明の他の実施例である第３の実施例は、フォールディングが発生されるフォールディング軸を有するアウトフォールディング映像表示装置のケースであって、アウトフォールディング映像表示装置の平面状態の画面表示面保護及びケース固定のための別途の構成品なしに単独で適用され、アウトフォールディング映像表示装置のフォールディング状態時フォールディング軸部分に固定されて柔軟性のある表示装置の曲面形状部分を選択的に覆って保護し、アウトフォールディング映像表示装置のオープン状態への切替時フォールディング軸部分から固定解除される独立型曲面カバーである。
【００２３】
第３の実施例において、独立型曲面カバーにはフォールディング状態のアウトフォールディング映像表示装置の落下時、曲面カバーの角の部分が落下衝撃によるアウトフォールディング映像表示装置の損傷発生を防止できるように曲面カバーの角にバンパー形状及びアウトフォールディング映像表示装置のオープン状態への切替時フォールディング軸部分から固定解除される独立型曲面カバーがアウトフォールディング映像表示装置と連結されずに分離され、紛失されないように一側はアウトフォールディング映像表示装置に連結され、反対側の一側は独立型曲面カバーに連結される紛失防止連結紐を含めて構成される。
【００２４】
第３の実施例において、独立型曲面カバーのフォールディング軸方向に位置する両側終端には独立型曲面カバーがフォールディング軸方向にスライディングして離脱されないように、独立型曲面カバーの上段の角、または下段の角をそれぞれ閉鎖して形成された軸方向閉鎖面を含めて構成される。  
【００２５】
第３の実施例に適用される独立型曲面カバーの他の適用例としてアウトフォールディング映像表示装置のフォールディング軸部分から固定解除されて分離される時、最小空間占有のためにフォールディング軸方向に両側終端が向かい合って収縮して保持され、フォールディング軸部分に固定適用される場合には、使用者による一側終端係止固定後、反対側の終端を引っ張ることによってフォールディング軸方向に伸張して固定されことができる。
【００２６】
本発明の他の実施例である第４の実施例は、フォールディングが発生されるフォールディング軸を有するアウトフォールディング映像表示装置のケースであって、アウトフォールディング映像表示装置に適用された柔軟性のある表示装置の画面表示可能領域の露出のための画面表示面貫通口が形成されており、画面表示面貫通口を除く部分が柔軟性のある表示装置が固定されるアウトフォールディング映像表示装置の外面の上にフォールディング軸を基準に左側部分と右側部分の両方が一体型で密着固定される一体型前面開放口カバーを含めて構成される。  
【００２７】
第４の実施例において、アウトフォールディング映像表示装置のケースは、フォールディング軸と向かい合って反対側にある縁に延在され、又は別途に組み立てられアウトフォールディング映像表示装置のフォールディング収納表示面を選択的に覆う下部開きカバーを含めて構成される。
【００２８】
第４の実施例において、一体型前面開放口カバーは、一体型前面開放口カバーのフォールディング軸を向かい合う反対側の縁に位置される一面が貫通して形成されたオープン操作貫通口、フォールディング軸を向かい合う反対側の縁のうち、オープン操作貫通口が形成された縁の両側端に開き力作用のための指係止が容易になるように突出形成された指係止突起の上及び指係止突起の上に係止されていない残りの指がオープン操作貫通口を経由して反対方向にオープン関連係止力を伝えることができるようにフォールディング軸を向かい合う反対側の縁のうちオープン操作貫通口が形成されていない縁に形成された指係止突起の下を含めて構成される。  
【００２９】
第４の実施例において、一体型前面開放口カバーは一体型前面開放口カバーの隅角部位の中でフォールディング軸を向かい合う縁の上段及び下段の隅角領域からアウトフォールディング映像表示装置の周りの領域を一定長さを有し、アウトフォールディング映像表示装置の周りの領域の外に延在されたバンパー突出部を含めて構成することができ、バンパー突出部の延在が始まる部位がフォールディング軸に垂直なアウトフォールディング映像表示装置の上段面及び下段面にそれぞれ固定できるように一定範囲にわたってバンパー突出部の延在方向と垂直を成して延在されたバンパー突出部の支持面を含めて構成される。
【００３０】
第４の実施例において、一体型前面開放口カバーの部分の中でフォールディング軸のフォールディング及びオープン時の周りの長さ変化が発生される周り可変領域に当たるフォールディング軸関連部分は、周りの寸法変化を吸収するためにアウトフォールディング映像表示装置に直接固定されずに直接固定された隣接部位によって間接固定される特徴を有することができる。  
【００３１】
一体型前面開放口カバーの部分の中で、周りの可変領域に該当する部分が周りの寸法変化を自体的に吸収できるように、一体型前面開放口カバーが伸縮性のある材質からなり、または周りの可変領域に該当する部分がしわ形状を有することができる。
【００３２】
本発明の他の実施例である第５の実施例は、フォールディングが発生されるフォールディング軸を有するアウトフォールディング映像表示装置のケースであって、アウトフォールディング映像表示装置に適用された柔軟性のある表示装置の画面表示可能領域の露出のための画面表示面貫通口が形成されており、画面表示面貫通口を除く部分が柔軟性のある表示装置が固定されるアウトフォールディング映像表示装置の外面の上にフォールディング軸を基準に左側部分と右側部分の両方が一体型で密着固定される一体型前面開放口カバー、及び一体型前面開放口カバーの画面表示面貫通口を閉鎖し、画面表示面貫通口の周りに固定され、柔軟性のある表示装置の保護及び表示画面透過のための保護フィルムを含めて構成される。  
【００３３】
第５の実施例において、保護フィルムはフォールディング軸のフォールディング及びオープン時の周りの長さ変化を吸収するために伸縮性のある材質からなる。  
【００３４】
第５の実施例において、一体型前面開放口カバーは、一体型前面開放口カバーのフォールディング軸を向かい合う反対側の縁に位置される一面が貫通して形成されたオープン操作貫通口、フォールディング軸を向かい合う反対側の縁のうち、オープン操作貫通口が形成された縁の両側端に開き力作用のための指係止が容易になるように突出形成された指係止突起の上及び指係止突起の上に係止されていない残りの指がオープン操作貫通口を経由して反対方向にオープン関連係止力を伝えることができるようにフォールディング軸を向かい合う反対側の縁のうち、オープン操作貫通口が形成されていない縁に形成された指係止突起の下を含めて構成される。  
【００３５】
第５の実施例において、一体型前面開放口カバーは、一体型前面開放口カバーの隅角部位の中でフォールディング軸を向かい合う縁の上段及び下段の隅角領域からアウトフォールディング映像表示装置の周りの領域を一定長さを有し、アウトフォールディング映像表示装置の周りの領域の外に延在されたバンパー突出部を含めて構成することができ、バンパー突出部の延在が始まる部位がフォールディング軸に垂直なアウトフォールディング映像表示装置の上段面及び下段面にそれぞれ固定されるように一定範囲にわたってバンパー突出部の延在方向と垂直を成して延在されたバンパー突出部の支持面を含めて構成される。
【００３６】
第５の実施例において、一体型前面開放口カバーの部分の中でフォールディング軸のフォールディング及びオープン時の周りの長さ変化が発生される周りの可変領域に当たるフォールディング軸関連部分は、周りの寸法変化を吸収するためにアウトフォールディング映像表示装置に直接固定されずに直接固定された隣接部位によって間接固定される特徴を有する。  
【００３７】
一体型前面開放口カバーの部分の中で、周りの可変領域に該当する部分が周りの寸法変化を自体的に吸収できるように、一体型前面開放口カバーが伸縮性のある材質からなる。
【００３８】
本発明の他の実施例である第６の実施例は、フォールディングが発生されるフォールディング軸を有するアウトフォールディング映像表示装置のケースであって、アウトフォールディング映像表示装置に適用された柔軟性のある表示装置の画面表示可能領域の露出のための画面表示面開放口がフォールディング軸を基準に左側部分と右側部分の両方から分離された状態で形成されており、画面表示面の開放口を除く部分が柔軟性のある表示装置が固定されるアウトフォールディング映像表示装置の外面の上にフォールディング軸を基準に左側部分と右側部分が分離された状態で密着固定される左右分離型前面カバー及びフォールディング軸のフォールディング及びオープン時周りの長さ変化が発生される周りの可変領域であり、左右分離型前面カバーが適用されていない部分に適用される可変連結カバーを含めて構成される。
【００３９】
第６の実施例において、アウトフォールディング映像表示装置のケースは、フォールディング軸と向かい合って反対側にある縁に延在され、または別途に組み立てられアウトフォールディング映像表示装置のフォールディング収納表示面を選択的に覆う下部開きカバーを含めて構成される。
【００４０】
第６の実施例において、左右分離型前面開放口カバーは、左右分離型前面開放口カバーのフォールディング軸を向かい合う反対側の縁に位置される一面が貫通して形成されたオープン操作貫通口、フォールディング軸を向かい合う反対側の縁のうち、オープン操作貫通口が形成された縁の両側端に開き力作用のための指係止が容易になるように突出形成された指係止突起の上、及び指係止突起の上に係止されない残りの指がオープン操作貫通口を経由して反対方向にオープン関連係止力を伝えることができるようにフォールディング軸を向かい合う反対側の縁のうち、オープン操作貫通口が形成されていない縁に形成された指係止突起の下を含めて構成される。  
【００４１】
第６の実施例において、左右分離型前面開放口カバーは、左右分離型前面開放口カバーの隅角部位の中でフォールディング軸を向かい合う縁の上段及び下段の隅角領域からアウトフォールディング映像表示装置の周りの領域を一定長さを有し、アウトフォールディング映像表示装置の周りの領域の外に延在されたバンパー突出部を含めて構成することができ、バンパー突出部の延在が始まる部位がフォールディング軸に垂直なアウトフォールディング映像表示装置の上段面及び下段面にそれぞれ固定されるように一定範囲にわたってバンパー突出部の延在方向と垂直を成して延在されたバンパー突出部の支持面を含めて構成される。  
【００４２】
第６の実施例において、可変連結カバーは断絶された状態の左右分離型前面開放口カバーの両側終端の間に適用され、フォールディング軸のフォールディング及びオープン時周りの長さ変化を吸収するために伸縮性のある材質からなる特徴を有する。
【００４３】
本発明の他の実施例である第７の実施例は、フォールディングが発生されるフォールディング軸を有するアウトフォールディング映像表示装置のケースであって、アウトフォールディング映像表示装置に適用された柔軟性のある表示装置の画面表示可能領域の露出のための画面表示面開放口がフォールディング軸を基準に左側部分と右側部分の両方から分離された状態で形成されており、画面表示面開放口を除く部分が柔軟性のある表示装置が固定されるアウトフォールディング映像表示装置の外面の上にフォールディング軸を基準に左側部分と右側部分が分離された状態で密着固定される左右分離型前面カバー、フォールディング軸のフォールディング及びオープン時周りの長さ変化が発生される周りの可変領域であり、左右分離型前面カバーが適用されていない部分に適用される可変連結カバー及びフォールディング軸を基準に分離されている両側画面表示面開放口によって形成される仮想の画面表示可能領域を閉鎖し、両側画面表示面開放口の周りに固定され、柔軟性のある表示装置の保護及び表示画面透過のための保護フィルムを含めて構成される。  
【００４４】
第７の実施例において、保護フィルムはフォールディング軸のフォールディング及びオープン時の周りの長さ変化を吸収するために伸縮性のある材質からなる。  
【００４５】
第７の実施例において、左右分離型前面カバーは、左右分離型前面カバーのフォールディング軸を向かい合う反対側の縁に位置される一面が貫通して形成されたオープン操作貫通口、フォールディング軸を向かい合う反対側の縁のうち、オープン操作貫通口が形成され縁の両側端に開き力作用のための指係止が容易になるように突出形成された指係止突起の上及び指係止突起の上に係止されていない残りの指がオープン操作貫通口を経由して反対方向にオープン関連係止力を伝えることができるようにフォールディング軸を向かい合う反対側の縁のうち、オープン操作貫通口が形成されていない縁に形成された指係止突起の下を含めて構成される。  
【００４６】
第７の実施例において、左右分離型前面カバーは、左右分離型前面カバーの隅角部位の中でフォールディング軸を向かい合う縁の上段及び下段の隅角領域からアウトフォールディング映像表示装置の周りの領域を一定長さを有し、アウトフォールディング映像表示装置の周りの領域の外に延在されたバンパー突出部を含めて構成することができ、バンパー突出部の延在が始まる部位がフォールディング軸に垂直なアウトフォールディング映像表示装置の上部面及び下段面にそれぞれ固定されるように一定範囲にわたってバンパー突出部の延在方向と垂直を成して延在されたバンパー突出部の支持面を含めて構成される。  
【００４７】
第７の実施例において、可変連結カバーは断絶された状態の左右分離型前面開放口カバーの両側終端の間に適用され、フォールディング軸のフォールディング及びオープン時の周りの長さ変化を吸収するために伸縮性のある材質からなる特徴を有する。  
【００４８】
本発明の他の実施例である第８の実施例は、フォールディングが発生されるフォールディング軸を有するアウトフォールディング映像表示装置のケースであって、アウトフォールディング映像表示装置に適用された柔軟性のある表示装置の画面表示可能領域の露出のために画面表示可能領域の上段及び下段の縁の間の領域が延長されて除去されることによって、上段と下段に分離されて形成された部分が柔軟性のある表示装置が固定されるアウトフォールディング映像表示装置の外面の上に上段部分と下段部分が分離された状態で密着固定される上下分離型前面カバーを含めて構成される。  
【００４９】
第８の実施例において、上下分離型前面カバーの部分のうちフォールディング軸のフォールディング及びオープン時周りの長さ変化が発生される周りの可変領域に当たるフォールディング軸関連部分は、周りの寸法変化を吸収するためにアウトフォールディング映像表示装置に直接固定されずに直接固定された隣接部位によって間接固定される特徴を有する。  
【００５０】
第８の実施例において、上下分離型前面カバーの部分のうち周りの可変領域に当たる部分が周りの寸法変化を自体的に吸収できるように上下分離型前面カバーが伸縮性のある材質からなり、または周りの可変領域に当たる部分がしわ形状を有する。  
【００５１】
第８の実施例において、上下分離型前面カバーは、上下分離型前面カバーの隅角部位の中でフォールディング軸を向かい合う縁の上段及び下段隅角領域からアウトフォールディング映像表示装置の周りの領域を一定長さを有し、アウトフォールディング映像表示装置の周りの領域の外に延在されたバンパー突出部及びバンパー突出部の延在が始まる部位がフォールディング軸に垂直なアウトフォールディング映像表示装置の上段面及び下段面にそれぞれ固定されるように一定範囲にわたってバンパー突出部の延在方向と垂直を成して延在されたバンパー突出部支持面を含めて構成される。  
【００５２】
第８の実施例において、アウトフォールディング映像表示装置のケースは、アウトフォールディング映像表示装置のフォールディング状態時フォールディング軸部分に固定されて柔軟性のある表示装置の曲面形状部分を選択的に覆って保護し、アウトフォールディング映像表示装置のオープン状態への切替時フォールディング軸部分から固定解除される独立型曲面カバー及び一側は独立型曲面カバーに連結され、反対側の一側は上下分離型前面カバーまたはアウトフォールディング映像表示装置に連結される紛失防止連結紐を含めて構成される。
【００５３】
本発明の他の実施例である第９の実施例は、フォールディングが発生されるフォールディング軸を有するアウトフォールディング映像表示装置のケースであって、アウトフォールディング映像表示装置に適用された柔軟性のある表示装置の画面表示可能領域の露出のためにアウトフォールディング映像表示装置のフォールディング軸の反対側に位置する向かい合う縁の隣接部位に分離された状態で密着固定される縁分離型カバーを含めて構成される。  
【００５４】
第９の実施例において、縁分離型カバーのフォールディング軸を向かい合う反対側の縁のうち、開き力作用のための指係止が容易になるように一側の縁に形成され、係止されない残りの指が反対方向にオープン関連係止力を伝えることができるようにフォールディング軸を向かい合う残りの反対側の縁にも形成された指係止形状を含めて構成される。  
【００５５】
第９の実施例において、縁分離型カバーは縁分離型カバーの隅角部位の中でフォールディング軸を向かい合う縁の上段及び下段隅角領域からアウトフォールディング映像表示装置の周りの領域を一定長さを有し、アウトフォールディング映像表示装置の周りの領域の外に延在されたバンパー突出部及びバンパー突出部の延在が始まる部位がフォールディング軸に垂直なアウトフォールディング映像表示装置の上段面及び下段面にそれぞれ固定されるように一定範囲にわたってバンパー突出部の延在方向と垂直を成して延在されたバンパー突出部の支持面を含めて構成される。
【００５６】
第９の実施例において、アウトフォールディング映像表示装置のケースは、アウトフォールディング映像表示装置のフォールディング状態時フォールディング軸部分に固定され、柔軟性のある表示装置の曲面形状部分を選択的に覆って保護し、アウトフォールディング映像表示装置のオープン状態への切替時フォールディング軸部分から固定解除される独立型曲面カバー及び一側は独立型曲面カバーに連結され、反対側の一側は縁分離型カバーまたはアウトフォールディング映像表示装置に連結される紛失防止連結紐を含めて構成される。
【００５７】
本発明の他の実施例である第１０の実施例は、フォールディングが発生されるフォールディング軸を有するアウトフォールディング映像表示装置のケースであって、アウトフォールディング映像表示装置に適用された柔軟性のある表示装置の画面表示可能領域の露出のためにアウトフォールディング映像表示装置のフォールディング軸の反対側に位置する向かい合う縁の上段及び下段隅角部位にそれぞれ分離された状態で密着固定される隅縁分離型カバーを含めて構成される。  
【００５８】
第１０の実施例において、隅縁分離型カバーは隅縁分離型カバーの隅角部位の中でフォールディング軸を向かい合う縁の上段及び下段隅角領域からアウトフォールディング映像表示装置の周りの領域を一定長さを有し、アウトフォールディング映像表示装置の周りの領域の外に延在されたバンパー突出部及びバンパー突出部の延在が始まる部位がフォールディング軸に垂直なアウトフォールディング映像表示装置の上段面及び下段面にそれぞれ固定されるように、一定範囲にわたってバンパー突出部の延在方向と垂直を成して延在されたバンパー突出部の支持面を含めて構成される。
【００５９】
第１０の実施例において、アウトフォールディング映像表示装置のケースは、アウトフォールディング映像表示装置のフォールディング状態時フォールディング軸部分に固定され、柔軟性のある表示装置の曲面形状部分を選択的に覆って保護し、アウトフォールディング映像表示装置のオープン状態への切替時フォールディング軸部分から固定解除される独立型曲面カバー及び一側は独立型曲面カバーに連結され、反対側の一側は隅縁分離型カバー又はアウトフォールディング映像表示装置に連結される紛失防止連結紐を含めて構成される。
【発明の効果】
【００６０】
上述の通り、本発明の実施例によると、本発明人の既に出願された保護ケース特許の長所のほかにも次のような長所を有する。  
【００６１】
第一、アウトフォールディング映像表示装置に適用される改善された保護ケースがアウトフォールディング映像表示装置のオープンへの切替時アウトフォールディング映像表示装置の領域の外にオープン展開されず、多段フォールディングまたは巻かれてフォールディング軸の反対側の縁に最小化されて保持されることによってオープン状態に保護ケースの適用と関係なく使用者の片手操作の容易性が向上される。  
【００６２】
第二、ヒンジの適用有無と関係なく、フォールディングとオープンが行われるフォールディング軸部位の不可避な寸法変化が発生される対称アウトフォールディング映像表示装置に適用される保護ケースがフォールディング軸部位の寸法変化に対応され、アウトフォールディング映像表示装置に自体固定されることによって保護ケースの破れまたは余裕発生部位の未吸収による浮き上がる現象が発生しない。  
【００６３】
第三、バンパーケースの適用が困難な対称アウトフォールディング映像表示装置に改善された保護ケースを適用することによって、柔軟性のある表示装置の擦り傷防止のようなカバー機能遂行とともにアウトフォールディング映像表示装置の落下時受ける周り部位の衝撃を制限的に吸収するバンパー機能も遂行することができる。  
【００６４】
第四、自体オープン機能が反映されていないアウトフォールディング映像表示装置のオープン遂行時指の係止が可能な形状が反映された保護ケースにより、使用者のオープン操作がさらに容易になる。
【００６５】
第五、アウトフォールディング映像表示装置の外観を最大限露出させ、独自のデザインを生かしながらも、必須保護部位だけを最小化させて選択的に保護することによって、プレミアム製品としての高級化及びタッチ操作の容易性、フォールディングされた画面の活用性の極大化を目指すことができる。
【図面の簡単な説明】
【００６６】
【図１】フォールディング機能がない形状不変映像表示装置に循環型バンパーケースが適用された例示図及び組み立て図である。
【図２】フォールディング機能がない形状不変映像表示装置にダイアリー型ケースが適用された例示図及び組み立て図である。
【図３】フォールディング機能がない形状不変映像表示装置にバンパー一体型ケースが適用された例示図及び組み立て図である。
【図４】非対称アウトフォールディング映像表示装置のフォールディング及びオープン状態を示す平面図及び正面図である。
【図５】対称アウトフォールディング映像表示装置のフォールディング及びオープン状態を示す平面図及び正面図である。
【図６】非対称アウトフォールディング映像表示装置に適用された多段フォールディング、または巻かれていない下部開きカバーを含むアウトフォールディング映像表示装置のケースに対する平面図及び正面図である。
【図７】対称アウトフォールディング映像表示装置に適用された多段フォールディング、または巻かれていない下部開きカバーを含むアウトフォールディング映像表示装置のケースに対するフォールディング状態の斜視図及びオープン状態の斜視図である。
【図８】非対称アウトフォールディング映像表示装置に適用された多段フォールディングされる下部開きカバーを含む非対称アウトフォールディング映像表示装置のケースに対するオープン状態の平面図及び正面図である。
【図９】図８の細部（Ｄｅｔａｉｌ）Ａに対する詳細図である。
【図１０】下部開きカバーに形成されたフォールディング誘発形状を示す概念図である。
【図１１】下部開きカバーを構成するフォールディング板を示す概念図である。
【図１２】非対称アウトフォールディング映像表示装置に適用された巻かれる下部開きカバーを含む非対称アウトフォールディング映像表示装置のケースに対するオープン状態の平面図及び正面図である。
【図１３】図１２の細部（Ｄｅｔａｉｌ）Ｂに対する詳細図である。
【図１４】対称アウトフォールディング映像表示装置に適用された多段フォールディングされる下部開きカバーを含む対称アウトフォールディング映像表示装置のケースに対するオープン状態の平面図及び正面図である。
【図１５】図１４の細部（Ｄｅｔａｉｌ）Ｃに対する詳細図である。
【図１６】図１４の部分（Ｓｅｃｔｉｏｎ）ＡーＡに対する断面図である。
【図１７】非対称アウトフォールディング映像表示装置に収納ハウジングが適用されることを示す斜視図である。
【図１８】非対称アウトフォールディング映像表示装置に適用された収納ハウジングを含む非対称アウトフォールディング映像表示装置のケースに対するフォールディング状態の平面図及び正面図である。
【図１９】図１８の部分（Ｓｅｃｔｉｏｎ）ＢーＢに対する断面図である。
【図２０】非対称アウトフォールディング映像表示装置に適用された収納ハウジングを含む非対称アウトフォールディング映像表示装置のケースに対するオープン状態の平面図及び正面図である。
【図２１】図２０の部分（Ｓｅｃｔｉｏｎ）ＣーＣに対する断面図である。
【図２２】対称アウトフォールディング映像表示装置に収納ハウジングが適用されることを示す斜視図である。
【図２３】対称アウトフォールディング映像表示装置に適用された収納ハウジングを含む対称アウトフォールディング映像表示装置のケースに対するフォールディング状態の平面図及び正面図である。
【図２４】図２３の部分（Ｓｅｃｔｉｏｎ）ＤーＤに対する断面図である。
【図２５】対称アウトフォールディング映像表示装置に適用された収納ハウジングを含む対称アウトフォールディング映像表示装置のケースに対するオープン状態の平面図及び正面図である。
【図２６】図２５の部分（Ｓｅｃｔｉｏｎ）ＥーＥに対する断面図である。
【図２７】対称アウトフォールディング映像表示装置に独立型曲面カバーが適用されることを示す斜視図である。
【図２８】対称アウトフォールディング映像表示装置に適用された独立型曲面カバーを含む対称アウトフォールディング映像表示装置のケースに対するフォールディング状態の平面図及び正面図である。
【図２９】図２８の部分（Ｓｅｃｔｉｏｎ）ＦーＦに対する断面図である。
【図３０】対称アウトフォールディング映像表示装置に一体型前面開放口カバーが適用されることを示す斜視図である。
【図３１】対称アウトフォールディング映像表示装置に適用された一体型前面開放口カバーを含む対称アウトフォールディング映像表示装置のケースに対するフォールディング状態の平面図、側面図、及び正面図である。
【図３２】図３１の部分（Ｓｅｃｔｉｏｎ）ＦーＦに対する断面図、部分（Ｓｅｃｔｉｏｎ）ＧーＧに対する断面図、部分（Ｓｅｃｔｉｏｎ）ＨーＨに対する断面図、部分（Ｓｅｃｔｉｏｎ）ＩーＩに対する断面図、部分（Ｓｅｃｔｉｏｎ）ＪーＪに対する断面図及び部分（Ｓｅｃｔｉｏｎ）ＫーＫに対する断面図である。
【図３３】対称アウトフォールディング映像表示装置に適用された一体型前面開放口カバーを含む対称アウトフォールディング映像表示装置のケースに対するオープン状態の平面図及び正面図である。
【図３４】下部開きカバーが備えられた一体型前面開放口カバーを含む対称アウトフォールディング映像表示装置のケースに対するオープン状態の斜視図である。
【図３５】対称アウトフォールディング映像表示装置に左右分離型前面カバーが適用されることを示す斜視図である。
【図３６】対称アウトフォールディング映像表示装置に適用された左右分離型前面カバーを含む対称アウトフォールディング映像表示装置のケースに対するオープン状態の平面図及び正面図である。
【図３７】図３６の部分（Ｓｅｃｔｉｏｎ）ＬーＬに対する断面図である。
【図３８】対称アウトフォールディング映像表示装置に上下分離型前面カバーが適用されることを示す斜視図である。
【図３９】対称アウトフォールディング映像表示装置に適用された上下分離型前面カバーを含む対称アウトフォールディング映像表示装置のケースに対するオープン状態の平面図及び正面図である。
【図４０】対称アウトフォールディング映像表示装置に縁分離型カバーが適用されることを示す斜視図である。
【図４１】対称アウトフォールディング映像表示装置に適用された縁分離型カバーを含む対称アウトフォールディング映像表示装置のケースに対するオープン状態の平面図及び正面図である。
【図４２】対称アウトフォールディング映像表示装置に隅縁分離型カバーが適用されることを示す斜視図である。
【図４３】対称アウトフォールディング映像表示装置に適用された隅縁分離型カバーを含む対称アウトフォールディング映像表示装置のケースに対するオープン状態の平面図及び正面図である。
【発明を実施するための形態】
【００６７】
以下の添付された図面を参照して本発明の実施例を詳細に説明する。
本明細書で使用された用語は、実施例を説明するためのものであって、本発明を制限しようとするものではない。本明細書で、単数形は特に言及しない限り複数形も含む。また、説明の順番によって提示される参照符号は、その順番に必ずしも限定されていない。  
【００６８】
図１はフォールディング機能がない形状不変映像表示装置に循環型バンパーケースが適用された例示図及び組み立て図であり、図２はフォールディング機能がない形状不変映像表示装置にダイアリー型ケースが適用された例示図及び組立図であり、図３はフォールディング機能がない形状不変映像表示装置にバンパー一体型ケースが適用された例示図及び組立図である。  
【００６９】
図１、図２及び図３に示された通り、従来の板状スマートフォンとタブレットのような形状不変映像表示装置１０には、形状不変映像表示装置１０の保護または収納機能の追加のために循環型バンパーケース１１（韓国登録特許第１０ー１２２９０７９）、ダイアリー型ケース１２（韓国登録特許第１０ー１１９２２８７、韓国登録実用新案第２０ー０４７３４５１）及びバンパー一体型ケース１６（韓国登録実用新案第２０ー０４６０２６０）のような付加価値製品が広く適用されている。  
【００７０】
図１に示された通り、循環型バンパーケース１１は、形状不変映像表示装置１０の外周部分が切れずに、周りの全体を循環する形で包んで固定され、画面表示部分は開放されてタッチ操作及び画面情報確認が容易になっている。  
【００７１】
形状不変映像表示装置１０の外周部分が切れずに周りの全体を循環する形で包んで固定される方式が適用されるので、循環型バンパーケース１１は、自在に曲がる柔軟性のある表示装置２６のヒンジフォールディング及びオープンが行われて映像表示装置の周りの形状が変更されるアウトフォールディング映像表示装置には適用が不可能な問題点を有する。
【００７２】
図２に示された通り、ダイアリー型ケース１２は、使用者によって回動し、形状不変映像表示装置１０の画面表示面を選択的に覆う上部面カバー１３、上部面カバー１３の回動軸の終端一部分が延在され、または上部面カバー１３とは別にオープン及びフォールディングが容易な材質で上部面カバー１３の回動軸の終端部分に接着または連結固定される回動連結板１４、回動連結板１４の一側終端が延在され、または回動連結板１４の一側終端に接着連結され、形状不変映像表示装置１０の画面表示面の反対面に接着固定され、または係止紐によって角に係止固定されて回動が不可能な下部面固定板１５を含めて構成される。  
【００７３】
下部面固定板１５に形状不変映像表示装置１０の固定は、接着方式、固定紐を用いた係止方式及び形状不変映像表示装置１０の画面表示面の反対面に固定ネジを用いた下部面固定板１５のネジ固定方式が適用されている。
【００７４】
図３に示された通り、バンパー一体型ケース１６は、使用者によって回動され、形状不変映像表示装置１０の画面表示面を選択的に覆う上部面カバー１３、上部面カバー１３の回動軸の終端一部分が延在され、または、上部面カバー１３とは別にオープン及びフォールディングが容易な材質で上部面カバー１３の回動軸の終端部分に接着連結される回動連結板１４、形状不変映像表示装置１０の外周部分を切れずに周りの全体を循環する形で包んで固定されて回動が不可能であり、画面表示部分は開放されているが、画面表示面の反対面は、閉鎖状態で回動連結板１４に接着連結されるバンパー下部板１７を含めて構成される。  
【００７５】
図２及び図３に示された通り、下部面固定板１５及びバンパー下部板１７は、映像表示装置の画面表示面の反対面に固定され、上部面カバー１３のようなオープン回動が不可能な構造を成す。このため、アウトフォールディング映像表示装置にダイアリー型ケース１２またはバンパー一体型ケース１６を適用すれば、アウトフォールディング映像表示装置のヒンジオープン時オープン回動が不可能な下部面固定板１５またはバンパー下部板１７によって下部面固定板１５及びバンパー下部板１７の内側にフォールディング収納されているフォールディング収納表示面２３がフォールディング状態で拘束されてオープンが不可能な構造的問題点を有するようになる。  
【００７６】
従って、形状不変映像表示装置１０とは違って、柔軟性のある表示装置２６のフォールディング及びオープン時周り形状が変化されるアウトフォールディング映像表示装置に図１、図２及び図３に示されたような循環型バンパーケース１１、ダイアリー型ケース１２及びバンパー一体型ケース１６を適用することができなくなり、アウトフォールディング映像表示装置のための、本発明人によって特許が提示されたような（韓国特許出願第１０ー２０１５ー０１０９２８０）別途のケースが要求されることが分かる。
【００７７】
本発明は、本発明人によって出願された特許（韓国特許出願第１０ー２０１５ー０１０９２８０）が解決できない課題を解決するために提示され、アウトフォールディング映像表示装置のケースを色々な実施例を通じて詳しく説明する。  
【００７８】
図６は、非対称アウトフォールディング映像表示装置に適用された多段フォールディング、または巻かれていない下部開きカバーを含むアウトフォールディング映像表示装置のケースに対する平面図及び正面図であり、図７は、対称アウトフォールディング映像表示装置に適用された多段フォールディング、または巻かれていない下部開きカバーを含むアウトフォールディング映像表示装置のケースに対するフォールディング状態の斜視図及びオープン状態の斜視図であり、図８は、非対称アウトフォールディング映像表示装置に適用された多段フォールディングされる下部開きカバーを含む非対称アウトフォールディング映像表示装置のケースに対するオープン状態の平面図及び正面図であり、図９は、図８の細部（Ｄｅｔａｉｌ）Ａに対する詳細図であり、図１０は、下部開きカバーに形成されたフォールディング誘発形状を示す概念図であり、図１１は、下部開きカバーを構成するフォールディング板を示す概念図であり、図１２は、非対称アウトフォールディング映像表示装置に適用された巻かれる下部開きカバーを含む非対称アウトフォールディング映像表示装置のケースに対するオープン状態の平面図及び正面図であり、図１３は、図１２の細部（Ｄｅｔａｉｌ）Ｂに対する詳細図であり、図１４は、対称アウトフォールディング映像表示装置に適用された多段フォールディングされる下部開きカバーを含む対称アウトフォールディング映像表示装置のケースに対するオープン状態の平面図及び正面図であり、図１５は、図１４の細部（Ｄｅｔａｉｌ）Ｃに対する詳細図であり、図１６は、図１４の部分（Ｓｅｃｔｉｏｎ）ＡーＡに対する断面図である。  
【００７９】
図６及び図７に示された通り、下部開きカバー１１０がアウトフォールディング映像表示装置のオープン状態で多段フォールディング、または巻かれていないとオープンされた下部開きカバーがアウトフォールディング映像表示装置のフォールディング軸２５の反対側の縁を外れた領域で板状の形で保持されることが分かる。このように下部開きカバー１１０がオープンされて板状に保持されると、邪魔な下部開きカバー１１０によって形状不変映像表示装置１０で感じることができた片手グリップ操作が難しくなる。  
【００８０】
このような片手グリップ操作の容易性問題を解決するために、本発明の第１の実施例が提示される。  
【００８１】
本発明の第１の実施例は、形状不変映像表示装置１０に適用されるダイアリー型ケース１２の画面表示面の反対面に固定される下部面固定板１５に相応するが、回動が不可能に固定されずフォールディングが発生されるフォールディング軸２５を有するアウトフォールディング映像表示装置のフォールディング収納表示面２３を回動が可能な状態で選択的に覆う下部開きカバー１１０を含めて構成されるアウトフォールディング映像表示装置のケースである。
【００８２】
アウトフォールディング映像表示装置のケースは、アウトフォールディング映像表示装置のオープンへの切り替え時単純回動され、アウトフォールディング映像表示装置の領域しか保持されず、多段フォールディングされ、またはフォールディング軸２５に位置される終端部分を巻軸として巻いてアウトフォールディング映像表示装置のフォールディング軸２５を向かい合う反対側の縁に最小化された状態で保持される下部開きカバー１１０を含めて構成される。  
【００８３】
第１の実施例のアウトフォールディング映像表示装置のケースには、下部開きカバー１１０のフォールディング軸２５の終端に位置する部分が延在され、又は別途の構成品として組み立てられアウトフォールディング映像表示装置のフォールディング時形成される柔軟性のある表示装置２６の曲面形状部分を選択的に覆う曲面カバー１２０を含めて構成される。
【００８４】
曲面カバー１２０には、曲面カバー１２０の自由端側の終端の縁または隅角による使用者の指傷の発生及び柔軟性のある表示装置２６の損傷発生を防止するために、自由端側の終端を横切って形成されている保護フレーム１２１及びフォールディング状態のアウトフォールディング映像表示装置の落下時曲面カバー１２０の上段及び下段の角部分が落下衝撃によるアウトフォールディング映像表示装置の損傷発生を防止できるように曲面カバー１２０の上段及び下段の角にバンパー形状１２２を含めて構成される。  
【００８５】
曲面カバー１２０の自由端側に位置する任意の部分には、多段フォールディングまたは巻き状態で保管されている下部開きカバー１１０及び曲面カバー１２０部分を使用者が容易にオープンできるように引張手段１２３を含めて構成される。  
【００８６】
図１０及び図１１に示された通り、第１の実施例のアウトフォールディング映像表示装置のケースにおける下部開きカバー１１０は、多段フォールディングが可能な下部開きカバー１１０が一定の位置で屏風の形でフォールディングが行われるように間隔をおいて凹んで形成されているフォールディング誘発形状１１１または一定の位置で屏風の形でフォールディングが行われるように多段フォールディング幅を考慮した幅を有する多数の板材が間隔を保持しながら内側または外部に固定され、下部開きカバー１１０の構成要素を成すフォールディング板１１２を含めて構成される。
【００８７】
図８及び図１４に示された通り、下部開きカバー１１０がアウトフォールディング映像表示装置のオープン状態時アウトフォールディング映像表示装置のフォールディング軸２５の反対側の縁に多段フォールディングされた最小化状態で保持されれば、形状不変映像表示装置１０から感じられる片手グリップ操作が可能になる。  
【００８８】
一般的に形状不変映像表示装置１０の下部面固定板１５は、多段フォールディングが不可能の硬質な材質特性を有し、または一定の位置で常時的なフォールディングが許容できるフォールディング誘発形状１１１が反映されていない。  
【００８９】
これと違って、多段フォールディングが許容される第１の実施例の下部開きカバー１１０は、図１０及び図１１に示された下部開きカバー１１０の断面図のように一定の位置で常時的なフォールディングが許可できるようにフォールディング誘発形状１１１、または多段フォールディング幅を考慮した一定の幅を有する多数のフォールディング板１１２が一定間隔を保ちながら下部開きカバー１１０に適用される。  
【００９０】
図１２は、非対称アウトフォールディング映像表示装置２０に適用された巻かれる下部開きカバー１１０を含む非対称アウトフォールディング映像表示装置２０のケースに対するオープン状態の平面図及び正面図であり、図１３は、図１２の細部（Ｄｅｔａｉｌ）Ｂに対する詳細図である。  
【００９１】
下部開きカバー１１０がアウトフォールディング映像表示装置のオープン状態時最小化状態で保持できる方法は、図８に示された多段フォールディング方法のほかに図１２に示されたような巻き方式の適用も可能である。  
【００９２】
図１２に示された通り、下部開きカバー１１０の巻きのためには下部開きカバー１１０の材質が巻きを常に許容できる軟性材質特性を有するほうが好ましい。  
【００９３】
また、アウトフォールディング映像表示装置のオープン時開放されて回動する下部開きカバー１１０が巻かれたぜんまいのように自体的に巻かれて位置されるように弾性力の蓄積が可能な材質特性を有することも好ましい。  
【００９４】
図１３に示された通り、巻きが行われる下部開きカバー１１０の巻きは、アウトフォールディング映像表示装置のフォールディング軸２５に位置される下部開きカバー１１０の自由端の終端を巻軸として行われる。
【００９５】
図８、図１２及び図１４に示された通り、多段フォールディングまたは巻かれることが可能な下部開きカバー１１０の自由端の終端には、アウトフォールディング映像表示装置のフォールディング時形成される柔軟性のある表示装置２６の曲面形状部分を選択的に覆う曲面カバー１２０が延在されることができ、図１４及び図１６に示されたように曲面カバー１２０の自由端側の終端の縁または隅角による使用者の指傷の発生及び柔軟性のある表示装置２６の損傷発生を防止するために自由端側の終端を横切って形成されている保護フレーム１２１及びフォールディング状態のアウトフォールディング映像表示装置の落下時曲面カバー１２０の上段及び下段の角部分が落下衝撃によるアウトフォールディング映像表示装置の損傷発生を防止できるように曲面カバー１２０の上段及び下段の角にバンパー形状１２２を含めて構成される。  
【００９６】
図６に示された通り、多段フォールディングまたは巻きが許容される下部開きカバー１１０が適用されたアウトフォールディング映像表示装置のケースにも多段フォールディングまたは巻き状態で保管されている下部開きカバー１１０及び曲面カバー１２０部分を使用者が容易にオープンできるように曲面カバー１２０の自由端側に位置する任意の部分に形成された貫通口に連結されている引張紐のような引張手段１２３を含めて構成されることができ、図８、図１２及び図１４には多段フォールディングまたは巻き状態によって引張手段１２３を示すことができないため、図６に代替説明し、引張紐に対する図示は省略する。
【００９７】
図１７は、非対称アウトフォールディング映像表示装置に収納ハウジングが適用されることを示す斜視図であり、図１８は、非対称アウトフォールディング映像表示装置に適用された収納ハウジングを含む非対称アウトフォールディング映像表示装置のケースに対するフォールディング状態の平面図及び正面図であり、図１９は、図１８の部分（Ｓｅｃｔｉｏｎ）ＢーＢに対する断面図であり、図２０は、非対称アウトフォールディング映像表示装置に適用された収納ハウジングを含む非対称アウトフォールディング映像表示装置のケースに対するオープン状態の平面図及び正面図であり、図２１は、図２０の部分（Ｓｅｃｔｉｏｎ）ＣーＣに対する断面図であり、図２２は、対称アウトフォールディング映像表示装置に収納ハウジングが適用されることを示す斜視図であり、図２３は、対称アウトフォールディング映像表示装置に適用された収納ハウジングを含む対称アウトフォールディング映像表示装置のケースに対するフォールディング状態の平面図及び正面図であり、図２４は、図２３の部分（Ｓｅｃｔｉｏｎ）Ｄ−Ｄに対する断面図であり、図２５は、対称アウトフォールディング映像表示装置に適用された収納ハウジングを含む対称アウトフォールディング映像表示装置のケースに対するオープン状態の平面図及び正面図であり、図２６は、図２５の部分（Ｓｅｃｔｉｏｎ）ＥーＥに対する断面図である。  
【００９８】
図１７、図１８、図２０、図２２、図２３及び図２５に示された通り、本発明の他の実施例である第２の実施例は、柔軟性のある表示装置２６のフォールディングが発生されるフォールディング軸２５を有するアウトフォールディング映像表示装置のフォールディング軸２５の反対側の縁の部分に適用され、巻き対象のための巻軸及び収容空間を有する収納ハウジング１４０及び形状不変映像表示装置に適用されるダイアリー型ケースの画面表示面の反対面に固定される下部面固定板に相応するが、一側終端が収納ハウジング１４０の巻軸に連結され、反対側の終端は収納ハウジング１４０を外れてオープンされ、フォールディング状態のアウトフォールディング映像表示装置のフォールディング収納表示面を覆い、または巻かれて収納ハウジング１４０に収容される状態で保持されることができる下部開きカバー１１０を含めて構成される。  
【００９９】
図１７、図１８、図２０及び図２１に示された通り、第２の実施例において、アウトフォールディング映像表示装置のケースは、巻軸に連結された下部開きカバー１１０の反対側の自由端の終端部分に延在され、オープン状態時アウトフォールディング映像表示装置のフォールディング時形成される柔軟性のある表示装置２６の曲面形状部分を選択的に覆い、巻き状態時下部開きカバー１１０とともに順次巻かれて収納ハウジング１４０に自由端側終端部分を除く残りの部分は、巻かれて収容される曲面カバー１２０を含めて構成されることができる。曲面カバー１２０には、曲面カバー１２０の自由端側の終端の縁または隅角による使用者の指傷防止、柔軟性のある表示装置２６の損傷防止及びオープン過程のための収納ハウジング１４０の引出口の外での終端係止形成のために自由端側の終端を横切って形成されている保護フレーム１２１を含めて構成される。
【０１００】
図２２、図２３、図２４及び図２５に示された通り、第２の実施例に適用されることができる曲面カバー１２０の他の例としてアウトフォールディング映像表示装置のケースは、巻軸に連結された下部開きカバー１１０の反対側の自由端の終端部分に延在され、または別途の構成品として組み立てられオープン状態時アウトフォールディング映像表示装置のフォールディング時形成される柔軟性のある表示装置２６の曲面形状部分を選択的に覆い、巻き状態時下部開きカバー１１０とは違って収納ハウジング１４０の外で巻かれていない状態で保持される曲面カバー１２０を含めて構成することができる。曲面カバー１２０には曲面カバー１２０の自由端側の終端の縁または隅角による使用者の指傷防止及び柔軟性のある表示装置２６の損傷防止のために自由端側の終端を横切って形成されている保護フレーム１２１及びフォールディング状態のアウトフォールディング映像表示装置の落下時曲面カバー１２０の上段及び下段の角部分が落下衝撃によるアウトフォールディング映像表示装置の損傷発生を防止できるように曲面カバー１２０の上段及び下段の角に形成されているバンパー形状１２２を含めて構成される。  
【０１０１】
図１７に示された通り、第２の実施例においてアウトフォールディング映像表示装置のケースは、収納ハウジング１４０に巻かれて収容されている部分を使用者が容易にオープンできるように曲面カバー１２０の自由端側に位置する任意の部分に形成された貫通口に連結されている引張紐のような引張手段１２３を含めて構成することができ、引張紐に対する図示は省略する。  
【０１０２】
図２７は、対称アウトフォールディング映像表示装置に独立型曲面カバーが適用されることを示す斜視図であり、図２８は、対称アウトフォールディング映像表示装置に適用された独立型曲面カバーを含む対称アウトフォールディング映像表示装置のケースに対するフォールディング状態の平面図及び正面図であり、図２９は、図２８の部分（Ｓｅｃｔｉｏｎ）ＦーＦに対する断面図である。  
【０１０３】
図２７、図２８及び図２８に示された通り、本発明の他の実施例である第３の実施例は、フォールディングが発生されるフォールディング軸２５を有するアウトフォールディング映像表示装置のケースであって、アウトフォールディング映像表示装置の平面状態の画面表示面保護及びケース固定のための別途の構成品なしで単独適用され、アウトフォールディング映像表示装置のフォールディング状態時フォールディング軸２５部分に固定され、柔軟性のある表示装置２６の曲面形状部分を選択的に覆って保護し、アウトフォールディング映像表示装置のオープン状態への切替時フォールディング軸２５部分から固定解除される独立型曲面カバー１５０である。  
【０１０４】
第３の実施例において、独立型曲面カバー１５０にはフォールディング状態のアウトフォールディング映像表示装置の落下時曲面カバー１２０の角部分が落下衝撃によるアウトフォールディング映像表示装置の損傷発生が防止できるように曲面カバー１２０の角にバンパー形状１２２及びアウトフォールディング映像表示装置のオープン状態への切替時フォールディング軸２５部分から固定解除される独立型曲面カバー１５０がアウトフォールディング映像表示装置と連結されずに分離されて紛失されないように一側はアウトフォールディング映像表示装置に連結され、反対側の一側は独立型曲面カバー１５０に連結される紛失防止連結紐１５１を含めて構成される。
【０１０５】
第３の実施例において、独立型曲面カバー１５０のフォールディング軸２５方向に位置する両側の終端には独立型曲面カバー１５０がフォールディング軸２５方向にスライディングして離脱されないように独立型曲面カバー１５０の上端の角または下段の角をそれぞれ閉鎖して形成された軸方向の閉鎖面１５２を含めて構成される。  
【０１０６】
図２７に示された通り、第３の実施例に適用される独立型曲面カバー１５０の他の適用例としてアウトフォールディング映像表示装置のフォールディング軸２５部分から固定解除されて分離される時、最小空間占有のためにフォールディング軸２５方向に両側の終端が向かい合って収縮して保持され、フォールディング軸２５部分に固定適用される場合には、使用者による一側終端の係止固定後、反対側の終端を引っ張ることによって、フォールディング軸２５方向に伸張されて固定できる。
【０１０７】
図３０は、対称アウトフォールディング映像表示装置に一体型前面開放口カバーが適用されることを示す斜視図であり、図３１は、対称アウトフォールディング映像表示装置に適用された一体型前面開放口カバーを含む対称アウトフォールディング映像表示装置のケースに対するフォールディング状態の平面図、側面図、及び正面図であり、図３２は、図３１の部分（Ｓｅｃｔｉｏｎ）ＦーＦに対する断面図、部分（Ｓｅｃｔｉｏｎ）ＧーＧに対する断面図、部分（Ｓｅｃｔｉｏｎ）ＨーＨに対する断面図、部分（Ｓｅｃｔｉｏｎ）ＩーＩに対する断面図、部分（Ｓｅｃｔｉｏｎ）ＪーＪに対する断面図、及び部分（Ｓｅｃｔｉｏｎ）ＫーＫに対する断面図であり、図３３は、対称アウトフォールディング映像表示装置に適用された一体型前面開放口カバーを含む対称アウトフォールディング映像表示装置のケースに対するオープン状態の平面図及び正面図であり、図３４は、下部開きカバーが備えられた一体型前面開放口カバーを含む対称アウトフォールディング映像表示装置のケースに対するオープン状態の斜視図である。
【０１０８】
図３０から図３４の図面に示された通り、本発明の他の実施例である第４の実施例においては、フォールディングが発生されるフォールディング軸２５を有するアウトフォールディング映像表示装置のケースであって、アウトフォールディング映像表示装置に適用された柔軟性のある表示装置２６の画面表示可能領域の露出のための画面表示面貫通口２０１が形成されており、画面表示面貫通口２０１を除く部分が柔軟性のある表示装置２６が固定されるアウトフォールディング映像表示装置の外面の上にフォールディング軸２５を基準に左側部分と右側部分の両方が一体型で密着固定される一体型前面開放口カバー２００を含めて構成される。  
【０１０９】
図３４に示された通り、第４の実施例において、アウトフォールディング映像表示装置のケースは、フォールディング軸２５と向かい合って反対側にある縁に延在され、または別途に組み立てられアウトフォールディング映像表示装置のフォールディング収納表示面を選択的に覆う下部開きカバー１１０を含めて構成される。
【０１１０】
第４の実施例において、一体型前面開放口カバー２００は、一体型前面開放口カバー２００のフォールディング軸２５を向かい合う反対側の縁に位置される一面が貫通して形成されたオープン操作貫通口２０３、フォールディング軸２５を向かい合う反対側の縁のうちオープン操作貫通口２０３が形成された縁の両側端に開き力作用のための指係止が容易になるように突出形成された指係止突起の上２０４及び指係止突起の上に係止されていない残りの指がオープン操作貫通口２０３を経由して反対方向にオープン関連係止力が伝えることができるようにフォールディング軸２５を向かい合う反対側の縁のうちオープン操作貫通口２０３が形成されていない縁に形成された指係止突起の下２０５を含めて構成される。  
【０１１１】
図３１及び図３２に示された通り、第４の実施例において、一体型前面開放口カバー２００は一体型前面開放口カバー２００の隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６を含めて構成することができる。
バンパー突出部２０６の延在が始まる部位がフォールディング軸２５に垂直なアウトフォールディング映像表示装置の上段面及び下段面にそれぞれ固定できるように一定範囲にわたってバンパー突出部２０６の延在方向と垂直を成し、延在されたバンパー突出部支持面２０７を含めて構成することができる。
バンパー突出部２０６が一体型前面開放口カバー２００の隅角部分に形成されることによって、バンパーケースを適用し難い対称型アウトフォールディング映像表示装置にも制限的なバンパー機能を行うことができるケースが適用できるようになる。  
【０１１２】
図３３に示された通り、第４の実施例において、一体型前面開放口カバー２００の部分の中でフォールディング軸２５のフォールディング及びオープン時の周りの長さ変化が発生される周りの可変領域２０２に当たるフォールディング軸２５関連部分は、周りの寸法変化を吸収するためにアウトフォールディング映像表示装置に直接固定されず、直接固定された隣接部位によって間接固定される特徴を有する。
【０１１３】
一体型前面開放口カバー２００の部分の中で、周りの可変領域２０２に該当する部分が周りの寸法変化を自体的に吸収できるように、一体型前面開放口カバー２００が伸縮性のある材質からなり、または周りの可変領域２０２に該当する部分がしわ形状２０８を有することができる。
【０１１４】
図３０に示された通り、本発明の他の実施例である第５の実施例においては、フォールディングが発生されるフォールディング軸を有するアウトフォールディング映像表示装置のケースであって、アウトフォールディング映像表示装置に適用された柔軟性のある表示装置の画面表示可能領域の露出のための画面表示面貫通口が形成されており、画面表示面貫通口を除く部分が柔軟性のある表示装置が固定されるアウトフォールディング映像表示装置の外面の上にフォールディング軸を基準に左側部分と右側部分の両方が一体型で密着固定される一体型前面開放口カバー及び一体型前面開放口カバーの画面表示面貫通口を閉鎖させ、画面表示面貫通口の周りに固定されて柔軟性のある表示装置の保護及び表示画面の透過のための保護フィルムを含めて構成される。  
【０１１５】
第５の実施例において、保護フィルム７００は、フォールディング軸２５のフォールディング及びオープン時の周りの長さ変化を吸収するために伸縮性のある材質からなる。  
【０１１６】
第５の実施例において、一体型前面開放口カバー２００は、第４の実施例の一体型前面開放口カバー２００と同一である。  
【０１１７】
図３１、図３２及び図３３に示された通り、一体型前面開放口カバー２００のフォールディング軸２５を向かい合う反対側の縁に位置される一面が貫通して形成されたオープン操作貫通口２０３、フォールディング軸２５を向かい合う反対側の縁のうちオープン操作貫通口２０３が形成された縁の両側端に開き力作用のための指係止が容易になるように突出形成された指係止突起の上２０４及び指係止突起の上に係止されていない残りの指がオープン操作貫通口２０３を経由して反対方向にオープン関連係止力が伝えることができるようにフォールディング軸２５を向かい合う反対側の縁のうちオープン操作貫通口２０３が形成されていない縁に形成された指係止突起の下２０５を含めて構成される。
【０１１８】
第５の実施例において、一体型前面開放口カバー２００は、一体型前面開放口カバー２００の隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６を含めて構成することができる。バンパー突出部２０６の延在が始まる部位がフォールディング軸２５に垂直なアウトフォールディング映像表示装置の上段面及び下段面にそれぞれ固定されるように一定範囲にわたってバンパー突出部２０６の延在方向と垂直を成して延在されたバンパー突出部支持面２０７を含めて構成される。  
【０１１９】
第５の実施例において、一体型前面開放口カバー２００の部分の中でフォールディング軸２５のフォールディング及びオープン時周りの長さ変化が発生される周りの可変領域２０２に該当するフォールディング軸２５関連部分は、周りの寸法変化を吸収するためにアウトフォールディング映像表示装置に直接固定されずに直接固定された隣接部位によって間接固定される特徴を有する。
【０１２０】
一体型前面開放口カバー２００の部分の中で、周りの可変領域２０２に該当する部分が周りの寸法変化を自律的に吸収できるように、一体型前面開放口カバー２００が伸縮性のある材質からなる。
【０１２１】
図３５は、対称アウトフォールディング映像表示装置に左右分離型前面カバーが適用されることを示す斜視図であり、図３６は、対称アウトフォールディング映像表示装置に適用された左右分離型前面カバーを含む対称アウトフォールディング映像表示装置のケースに対するオープン状態の平面図及び正面図であり、図３７は、図３６の部分（Ｓｅｃｔｉｏｎ）ＬーＬに対する断面図であり、図３７は対称アウトフォールディング映像表示装置に適用された左右分離型前面カバーを含む対称アウトフォールディング映像表示装置のケースに対するオープン状態の平面図及び正面図である。  
【０１２２】
図３５、図３６及び図３７に示された通り、本発明の他の実施例である第６の実施例においては、フォールディングが発生されるフォールディング軸２５を有するアウトフォールディング映像表示装置のケースであって、アウトフォールディング映像表示装置に適用された柔軟性のある表示装置２６の画面表示可能領域の露出のための画面表示面開放口３０１がフォールディング軸２５を基準に左側部分と右側部分の両方から分離された状態で形成されており、画面表示面開放口３０１を除く部分が柔軟性のある表示装置２６が固定されるアウトフォールディング映像表示装置の外面の上にフォールディング軸２５を基準に左側部分と右側部分が分離された状態で密着固定される左右分離型前面カバー３００及びフォールディング軸２５のフォールディング及びオープン時の周りの長さ変化が発生される周りの可変領域２０２であり、左右分離型前面カバー３００が適用されない部分に適用される可変連結カバー３０２を含めて構成される。
【０１２３】
第５の実施例の図３４と同様に第６の実施例において、アウトフォールディング映像表示装置のケースは、フォールディング軸２５と向かい合って反対側にある縁に延在され、または別途に組み立てられアウトフォールディング映像表示装置のフォールディング収納表示面を選択的に覆う下部開きカバー１１０を含めて構成することができる。これは第５の実施例と第６の実施例の差異点を発生させる周りの可変領域２０２部位に対する対応方法と関係ないので、第５の実施例の図３４を用いて説明は省略する。
【０１２４】
第５の実施例の図３４と同様に第６の実施例において、左右分離型前面開放口カバーは、左右分離型前面開放口カバーのフォールディング軸２５を向かい合う反対側の縁に位置される一面が貫通して形成されたオープン操作貫通口２０３、フォールディング軸２５を向かい合う反対側の縁のうち、オープン操作貫通口２０３が形成された縁の両側端に開き力作用のための指係止が容易になるように突出形成された指係止突起の上２０４及び指係止突起の上２０４に係止されていない残りの指がオープン操作貫通口２０３を経由して反対方向にオープン関連係止力を伝えることができるようにフォールディング軸２５を向かい合う反対側の縁のうちオープン操作貫通口２０３が形成されていない角に形成された指係止突起の下２０５を含めて構成される。  
【０１２５】
第６の実施例において、左右分離型前面開放口カバーは、左右分離型前面開放口カバーの隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６を含めて構成することができ、バンパー突出部２０６の延在が始まる部位がフォールディング軸２５に垂直なアウトフォールディング映像表示装置の上段面及び下段面にそれぞれ固定できるように一定範囲にわたってバンパー突出部２０６の延在方向と垂直を成して延在されたバンパー突出部支持面２０７を含めて構成される。  
【０１２６】
図３６と図３７に示された通り、第６の実施例において、可変連結カバー３０２は、断絶された状態の左右分離型前面開放口カバーの両側の終端の間に適用され、フォールディング軸２５のフォールディング及びオープン時の周りの長さ変化を吸収するために、伸縮性のある材質からなる特徴を有する。  
【０１２７】
本発明の他の実施例である第７の実施例においては、図３５に示されたようにフォールディングが発生されるフォールディング軸２５を有するアウトフォールディング映像表示装置のケースであって、アウトフォールディング映像表示装置に適用された柔軟性のある表示装置２６の画面表示可能領域の露出のための画面表示面開放口３０１がフォールディング軸２５を基準に左側部分と右側部分の両方から分離された状態で形成されており、画面表示面開放口３０１を除く部分が柔軟性のある表示装置２６が固定されるアウトフォールディング映像表示装置の外面の上にフォールディング軸２５を基準に左側部分と右側部分が分離された状態で密着固定される左右分離型前面カバー３００、フォールディング軸２５のフォールディング及びオープン時の周りの長さ変化が発生される周りの可変領域２０２であり、左右分離型前面カバー３００が適用されない部分に適用される可変連結カバー３０２及びフォールディング軸２５を基準に分離されている両側の画面表示面開放口３０１によって形成される仮想の画面表示可能領域を閉鎖させ、両側の画面表示面開放口３０１の周りに固定され、柔軟性のある表示装置２６の保護及び表示画面透過のための保護フィルム７００を含めて構成される。  
【０１２８】
第７の実施例において、保護フィルム７００は、フォールディング軸２５のフォールディング及びオープン時の周りの長さ変化を吸収するために伸縮性のある材質からなる。  
【０１２９】
第７の実施例において、左右分離型前面カバー３００は、左右分離型前面カバー３００のフォールディング軸２５を向かい合う反対側の縁に位置される一面が貫通して形成されたオープン操作貫通口２０３、フォールディング軸２５を向かい合う反対側の縁のうちオープン操作貫通口２０３が形成された縁の両側端に開き力作用のための指係止が容易になるように突出形成された指係止突起の上２０４及び指係止突起の上に係止されていない残りの指がオープン操作貫通口２０３を経由して反対方向にオープン関連係止力を伝えることができるように、フォールディング軸２５を向かい合う反対側の縁のうちオープン操作貫通口２０３が形成されていない縁に形成された指係止突起の下２０５を含めて構成される。
【０１３０】
第４の実施例の図３２と同様に第７の実施例において、左右分離型前面カバー３００は、左右分離型前面カバー３００の隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６を含めて構成することができ、バンパー突出部２０６の延在が始まる部位がフォールディング軸２５に垂直なアウトフォールディング映像表示装置の上段面及び下段面にそれぞれ固定されるように一定範囲にわたってバンパー突出部２０６の延在方向と垂直を成して延在されたバンパー突出部支持面２０７を含めて構成される。  
【０１３１】
第６実施例と同様に第７の実施例において、可変連結カバー３０２は断絶された状態の左右分離型前面開放口カバーの両側の終端の間に適用され、フォールディング軸２５のフォールディング及びオープン時の周りの長さ変化を吸収するために伸縮性のある材質からなる特徴を有する。
【０１３２】
図３８は、対称アウトフォールディング映像表示装置に上下分離型前面カバーが適用されることを示す斜視図であり、図３９は、対称アウトフォールディング映像表示装置に適用された上下分離型前面カバーを含む対称アウトフォールディング映像表示装置のケースに対するオープン状態の平面図及び正面図である。  
【０１３３】
図３８及び図３９に示された通り、本発明の他の実施例である第８の実施例においては、フォールディングが発生されるフォールディング軸２５を有するアウトフォールディング映像表示装置のケースであって、アウトフォールディング映像表示装置に適用された柔軟性のある表示装置２６の画面表示可能領域の露出のために画面表示可能領域の上段及び下段の縁の間の領域が延長して除去されたことにより、上段と下段に分離して形成された部分が柔軟性のある表示装置２６が固定されるアウトフォールディング映像表示装置の外面の上に上段部分と下段部分が分離された状態で密着固定される上下分離型前面カバー４００を含めて構成される。  
【０１３４】
第８の実施例において、上下分離型前面カバー４００の部分の中でフォールディング軸２５のフォールディング及びオープン時の周りの長さ変化が発生される周りの可変領域２０２に該当するフォールディング軸２５関連部分は、周りの寸法変化を吸収するためにアウトフォールディング映像表示装置に直接固定されずに直接固定された隣接部位によって間接固定される特徴を有する。
【０１３５】
第８の実施例において、上下分離型前面カバー４００の部分の中で、周りの可変領域２０２に該当する部分が周りの寸法変化を自体的に吸収できるように上下分離型前面カバー４００が伸縮性のある材質からなり、周りの可変領域２０２に該当する部分がしわ形状２０８を有することができる。
【０１３６】
第８の実施例において、上下分離型前面カバー４００は、上下分離型前面カバー４００の隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６及びバンパー突出部２０６の延在が始まる部位がフォールディング軸２５に垂直なアウトフォールディング映像表示装置の上段面及び下段面にそれぞれ固定されるように一定範囲にわたってバンパー突出部２０６の延在方向と垂直を成して延在されたバンパー突出部支持面２０７を含めて構成される。  
【０１３７】
第８の実施例において、アウトフォールディング映像表示装置のケースは、アウトフォールディング映像表示装置のフォールディング状態時フォールディング軸２５部分に固定されて柔軟性のある表示装置２６の曲面形状部分を選択的に覆って保護し、アウトフォールディング映像表示装置のオープン状態への切替時フォールディング軸２５部分から固定解除される独立型曲面カバー１５０及び一側は独立型曲面カバー１５０に連結され、反対側の一側は上下分離型前面カバー４００またはアウトフォールディング映像表示装置に連結される紛失防止連結紐１５１を含めて構成される。
【０１３８】
図４０は、対称アウトフォールディング映像表示装置に縁分離型カバーが適用されることを示す斜視図であり、図４１は、対称アウトフォールディング映像表示装置に適用された縁分離型カバーを含む対称アウトフォールディング映像表示装置のケースに対するオープン状態の平面図及び正面図である。  
【０１３９】
図４０及び図４１に示された通り、本発明の他の実施例である第９の実施例においては、フォールディングが発生されるフォールディング軸２５を有するアウトフォールディング映像表示装置のケースであて、アウトフォールディング映像表示装置に作用された柔軟性のある表示装置２６の画面表示可能領域の露出のためにアウトフォールディング映像表示装置のフォールディング軸２５の反対側に位置する向かい合う縁の隣接部分に分離された状態で密着固定される縁分離型カバー５００を含めて構成される。  
【０１４０】
第９の実施例において、縁分離型カバー５００のフォールディング軸２５を向かい合う反対側の縁のうち開き力作用のための指係止が容易になるように一側の縁に形成されており、係止されていない残りの指が反対方向にオープン関連係止力を伝えることができるようにフォールディング軸２５を向かい合う残りの反対側の縁にも形成された指係止形状５０１を含めて構成される。  
【０１４１】
第９の実施例において、縁分離型カバー５００は、縁分離型カバー５００の隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６及びバンパー突出部２０６の延在が始まる部位がフォールディング軸２５に垂直なアウトフォールディング映像表示装置の上段面及び下段面にそれぞれ固定されるように一定範囲にわたってバンパー突出部２０６の延在方向と垂直を成して延在されたバンパー突出部支持面２０７を含めて構成される。  
【０１４２】
第９の実施例において、アウトフォールディング映像表示装置のケースは、アウトフォールディング映像表示装置のフォールディング状態時フォールディング軸２５部分に固定されて柔軟性のある表示装置２６の曲面形状部分を選択的に覆って保護し、アウトフォールディング映像表示装置のオープン状態への切替時フォールディング軸２５部分から固定解除される独立型曲面カバー１２０、１５０及び一側は独立型曲面カバー１２０、１５０に連結され、反対側の一側は縁分離型カバー５００またはアウトフォールディング映像表示装置に連結される紛失防止連結紐１５１を含めて構成される。
【０１４３】
図４２は、対称アウトフォールディング映像表示装置に隅縁分離型カバーが適用されることを示す斜視図であり、図４３は、対称アウトフォールディング映像表示装置に適用された隅縁分離型カバーを含む対称アウトフォールディング映像表示装置のケースに対するオープン状態の平面図及び正面図である。  
【０１４４】
図４２及び図４３に示された通り、本発明の他の実施例である第１０実施例においては、フォールディングが発生されるフォールディング軸２５を有するアウトフォールディング映像表示装置のケースであって、アウトフォールディング映像表示装置に適用された柔軟性のある表示装置２６の画面表示可能領域の露出のために、アウトフォールディング映像表示装置のフォールディング軸２５の反対側に位置する向かい合う縁の上段及び下段の隅角部位にそれぞれ分離された状態で密着固定される隅縁分離型カバー６００を含めて構成される。  
【０１４５】
第１０の実施例において、隅縁分離型カバー６００は、隅縁分離型カバー６００の隅角部位の中でフォールディング軸２５を向かい合う縁の上段及び下段の隅角領域からアウトフォールディング映像表示装置の周りの領域を一定長さを有し、アウトフォールディング映像表示装置の周りの領域の外に延在されたバンパー突出部２０６及びバンパー突出部２０６の延在が始まる部位がフォールディング軸２５に垂直なアウトフォールディング映像表示装置の上段面及び下段面にそれぞれ固定されるように一定範囲にわたってバンパー突出部２０６の延在方向と垂直を成して延在されたバンパー突出部支持面２０７を含めて構成される。  
【０１４６】
第１０の実施例において、アウトフォールディング映像表示装置のケースは、アウトフォールディング映像表示装置のフォールディング状態時フォールディング軸２５部分に固定されて柔軟性のある表示装置２６の曲面形状部分を選択的に覆って保護し、アウトフォールディング映像表示装置のオープン状態への切替時フォールディング軸２５部分から固定解除される独立型曲面カバー１５０及び一側が独立型曲面カバー１５０に連結され、反対側の一側が隅縁分離型カバー６００またはアウトフォールディング映像表示装置に連結される紛失防止連結紐１５１を含めて構成される。  
【０１４７】
以上、添付された図面を参照して本発明の実施例を説明したが、本発明の属する技術分野における通常の知識を有する者は、本発明がその技術的思想や必須的な特徴を変更せずに他の具体的な形態で実施できることが理解される。従って、以上で記述した実施例は、全ての面から例示的なものであり、限定的ではないと理解すべきである。
【符号の説明】
【０１４８】
１０  形状不変映像表示装置              
１１  循環型のバンパーケース  
１２  ダイアリー型ケース
１３  上部面カバー  
１４  回動連結板
１５  下部面固定板  
１６  バンパー一体型ケース
１７  バンパー下部板  
２０  非対称アウトフォールディング映像表示装置
２１  対称アウトフォールディング映像表示装置  
２２  常時画面表示面
２３  フォールディング収納表示面  
２４  保護ケース固定具
２５  フォールディング軸  
２６  柔軟性のある表示装置
３０  開放型バンパーケース  
３１  干渉除去領域
３２  縁係止突起  
３３  ヒンジ部分係止突起  
１１０  下部開きカバー
１１１  フォールディング誘発形状  
１１２  フォールディング板
１２０  曲面カバー  
１２１  保護フレーム
１２２  バンパー形状  
１２３  引張手段
１３０  上部開きカバー  
１４０  収納ハウジング
１５０  独立型曲面カバー  
１５１  紛失防止連結紐
１５２  軸方向の閉鎖面  
２００  一体型前面開放口カバー
２０１  画面表示面貫通口  
２０２  周りの可変領域
２０３  オープン操作貫通口  
２０４  指係止突起の上
２０５  指係止突起の下  
２０６  バンパー突出部
２０７  バンパー突出部支持面  
２０８  しわ形状（未図示）
３００  左右分離型前面カバー  
３０１  画面表示面開放口
３０２  可変連結カバー  
４００  上下分離型前面カバー
５００  縁分離型カバー  
５０１  指係止形状
６００  隅縁分離型カバー  
７００  保護フィルム
【図１】
0006713115.tif 000002
【図２】
0006713115.tif 000003
【図３】
0006713115.tif 000004
【図４】
0006713115.tif 000005
【図５】
0006713115.tif 000006
【図６】
0006713115.tif 000007
【図７】
0006713115.tif 000008
【図８】
0006713115.tif 000009
【図９】
0006713115.tif 000010
【図１０】
0006713115.tif 000011
【図１１】
0006713115.tif 000012
【図１２】
0006713115.tif 000013
【図１３】
0006713115.tif 000014
【図１４】
0006713115.tif 000015
【図１５】
0006713115.tif 000016
【図１６】
0006713115.tif 000017
【図１７】
0006713115.tif 000018
【図１８】
0006713115.tif 000019
【図１９】
0006713115.tif 000020
【図２０】
0006713115.tif 000021
【図２１】
0006713115.tif 000022
【図２２】
0006713115.tif 000023
【図２３】
0006713115.tif 000024
【図２４】
0006713115.tif 000025
【図２５】
0006713115.tif 000026
【図２６】
0006713115.tif 000027
【図２７】
0006713115.tif 000028
【図２８】
0006713115.tif 000029
【図２９】
0006713115.tif 000030
【図３０】
0006713115.tif 000031
【図３１】
0006713115.tif 000032
【図３２】
0006713115.tif 000033
【図３３】
0006713115.tif 000034
【図３４】
0006713115.tif 000035
【図３５】
0006713115.tif 000036
【図３６】
0006713115.tif 000037
【図３７】
0006713115.tif 000038
【図３８】
0006713115.tif 000039
【図３９】
0006713115.tif 000040
【図４０】
0006713115.tif 000041
【図４１】
0006713115.tif 000042
【図４２】
0006713115.tif 000043
【図４３】
0006713115.tif 000044